(57)【特許請求の範囲】
【請求項１】
少なくとも１歯以上の人工歯が予め配列されていてもよい上顎基準義歯床であって、
床後縁の左側翼突上顎切痕に相当する点を点Ｐとし、右側翼突上顎切痕に相当する点を点Ｑとし、唇側床縁の正中にあたる上唇小帯に相当する点を点Ｏとし、線分ＰＱの中点を点Ｍとし、点Ｏと点Ｐとを結ぶ線分ＯＰを４等分する各点を、点Ｏ側から点Ｐ１、点Ｐ２、点Ｐ３とし、線分ＯＰ上の点Ｐ１、点Ｐ２及び点Ｐ３からの垂直線が左側頬側床縁と交わる点をそれぞれ点Ｄ１、点Ｄ２及び点Ｄ３とし、点Ｏと点Ｑとを結ぶ線分ＯＱを４等分する各点を、点Ｏ側から点Ｑ１、点Ｑ２、点Ｑ３とし、線分ＯＱ上の点Ｑ１、点Ｑ２及び点Ｑ３からの垂直線が右側頬側床縁と交わる点をそれぞれ点Ｅ１、点Ｅ２及び点Ｅ３とし、線分ＰＱの長さを１とした場合、
線分ＯＭの長さが０．７６〜０．９８であり、
線分Ｐ１Ｄ１及び線分Ｑ１Ｅ１の長さがそれぞれ０．１１〜０．３６であり、
線分Ｐ２Ｄ２及び線分Ｑ２Ｅ２の長さがそれぞれ０．１９〜０．４５であり、
線分Ｐ３Ｄ３及び線分Ｑ３Ｅ３の長さがそれぞれ０．１６〜０．４５である
上顎基準義歯床と、
硬質裏装材と、
からなる上顎義歯作製キット。
【請求項２】
少なくとも１歯以上の人工歯が予め配列されていてもよい下顎基準義歯床であって、
床後縁の左側臼後隆起に相当する点を点ｐとし、右側臼後隆起に相当する点を点ｑとし、唇側床縁の正中にあたる下唇小帯に相当する点を点ｏとし、線分ｐｑの中点を点ｍとし、点ｏと点ｐとを結ぶ線分ｏｐを４等分する各点を、点ｏ側から点ｐ１、点ｐ２、点ｐ３とし、線分ｏｐ上の点ｐ１、点ｐ２及び点ｐ３からの垂直線が左側頬側床縁と交わる点をそれぞれ点ｄ１、点ｄ２及び点ｄ３とし、点ｏと点ｑとを結ぶ線分ｏｑを４等分する各点を、点ｏ側から点ｑ１、点ｑ２、点ｑ３とし、線分ｏｑ上の点ｑ１、点ｑ２及び点ｑ３からの垂直線が右側頬側床縁と交わる点をそれぞれ点ｅ１、点ｅ２及び点ｅ３とし、前記点ｐ１、点ｐ２及び点ｐ３からの垂直線が舌側床縁と交わる点をそれぞれ点ｂ１、点ｂ２及び点ｂ３とし、前記点ｑ１、点ｑ２及び点ｑ３からの垂直線が舌側床縁と交わる点をそれぞれ点ｃ１、点ｃ２、及び点ｃ３とし、線分ｐｑの長さを１とした場合、
線分ｏｍの長さが０．７４〜０．９４であり、
線分ｐ１ｄ１及び線分ｑ１ｅ１の長さがそれぞれ０．１１〜０．３２であり、
線分ｐ２ｄ２及び線分ｑ２ｅ２の長さがそれぞれ０．１３〜０．３４であり、
線分ｐ３ｄ３及び線分ｑ３ｅ３の長さがそれぞれ０．１４〜０．３３であり、
線分ｄ１ｂ１の長さは、０．１４〜０．４０で、且つ線分ｐ１ｄ１の長さより長く、
線分ｅ１ｃ１の長さは、０．１４〜０．４０で、且つ線分ｑ１ｅ１の長さより長く、
線分ｄ２ｂ２の長さは、０．１９〜０．４１で、且つ線分ｐ２ｄ２の長さより長く、
線分ｅ２ｃ２の長さは、０．１９〜０．４１で、且つ線分ｑ２ｅ２の長さより長く、
線分ｄ３ｂ３の長さは、０．２１〜０．４２で、且つ線分ｐ３ｄ３の長さより長く、
線分ｅ３ｃ３の長さは、０．２１〜０．４２で、且つ線分ｑ３ｅ３の長さより長い、
下顎基準義歯床と、
硬質裏装材と、
からなる下顎義歯作製キット。
【請求項３】
請求項１で用いた前記上顎基準義歯床、請求項２で用いた前記下顎基準義歯床、及び硬質裏装材からなる義歯作製キット。
【請求項４】
請求項１で用いた前記上顎基準義歯床であってサイズが異なる複数の上顎基準義歯床及び／又は、請求項２で用いた前記下顎基準義歯床であってサイズが異なる複数の下顎基準義歯床と、
硬質裏装材と、からなる義歯作製キット。
【請求項５】
請求項４に記載の義歯作製キットから、患者の口のサイズに適合する上顎基準義歯床及び／又は下顎基準義歯床を選択する工程と、
前記選択工程で選択した上顎基準義歯床及び／又は下顎基準義歯床に硬質裏装材を築盛する工程と、
を有することを特徴とする義歯作製方法。
【発明の詳細な説明】
【技術分野】
【０００１】
本発明は、所定形状を有する既製の基準義歯床又は基準義歯、及び硬質裏装材を含んで構成される新規な義歯作製キットに関する。さらには、該義歯作製キットを用いる新規な義歯作製方法に関する。
【背景技術】
【０００２】
従来、義歯は主として以下の手順により作製されている。
（１）印象材を用いて患者の口腔内の印象を採得する。
（２）該印象を用いて石膏模型を作製する。
（３）咬合床を患者に装着させて咬合を採得する。
（４）咬合床に人工歯を配列し、蝋義歯を作製する。
（５）蝋義歯を患者に試適させ、咬合を調整する。
（６）蝋義歯を石膏中に埋没して鋳型を作製する。
（７）鋳型に樹脂を注入、硬化させて義歯を作製する。
【０００３】
このように、義歯は患者の口腔形状に合わせて１つずつ手作業で作製されているため、多くの時間を必要とし、歯科医院、歯科技工所及び患者の負担が大きい。また、この義歯の作製方法は、複数回の転写工程を有しているため形状の誤差が生じ易い。さらには、歯科医師及び歯科技工士の技量により、品質が変動し易い。
【０００４】
特許文献１には、金型等を用いて量産された義歯床を用いる義歯の作製方法が開示されている。特許文献２には、可塑性である光重合性組成物からなる義歯床部材に、少なくとも一本の人工歯が配列する補綴義歯前駆体を用いる義歯の作製方法が開示されている。これらの方法は、一部の工程の簡略化が図れるものの、依然として石膏模型を作製する必要があるため、十分に簡略化されているとは言い難い。また、無歯顎者の口腔形状を基に作製される義歯床は、歯槽頂の吸収が患者毎に異なっているため、義歯床の形状を予め定めて量産化することが困難である。
【０００５】
特許文献３には、予め作製された基準義歯床であって、歯槽部に凹部を有する基準義歯床を用いる義歯の作製方法が開示されている。しかし、特許文献３には、基準義歯床の形状が開示されていない。また、人工歯を配列する必要があり煩雑である。
【０００６】
従来の義歯作製方法は、歯槽頂間線法則に基づいて作製されるのが一般的であったが、前述のように本義歯作製方法は、煩雑であることが問題であった。さらに、患者の高齢化が進んだ現代においては、上記方法で作製した義歯は歯槽骨の退縮が著しい場合、正常な咬合を得ることが困難となり、交叉咬合等の問題が生じていた。そこで、近年は、有歯顎時に歯列弓が存在していたとされる筋圧中立帯に合わせて義歯形状を定めるデンチャースペース理論に基づく義歯作製方法が提唱されている。しかし、デンチャースペース理論に基づく義歯作製方法を習得するためには多くの時間を要する。また、デンチャースペース理論に基づく義歯作製方法であっても、義歯作製方法自体は従来と同様に煩雑である。そのため、デンチャースペース理論に基づく義歯であって、簡易な方法で作製できる義歯が求められている。
【先行技術文献】
【特許文献】
【０００７】
【特許文献１】特開平６−６３０６５号公報
【特許文献２】特開１９９３−１９２３５３号公報
【特許文献３】特開平４−２１８１５１号公報
【発明の概要】
【発明が解決しようとする課題】
【０００８】
本発明の課題は、多くの患者に適合可能な既製の新規な義歯床又は義歯を提供し、義歯作製工程を簡略化して義歯の作製時間を短縮することにある。そして、このような義歯床又は義歯を使用するに際して、機械的強度に優れ、長期使用が可能となる、義歯床又は義歯、及び裏装材とを含む義歯作製キットを提供することにある。
【課題を解決するための手段】
【０００９】
本発明は、前記課題を解決するため、有歯顎者及び無歯顎者の口腔形状を基に義歯床の形状を定め、該形状に基づいて義歯床を作製することに想到した。そして、この方法により作製される所定形状の義歯床は、多くの無歯顎患者に適用可能であること、さらに裏装材に硬質裏装材を用いることで、機械的強度に優れ、長期使用が可能になることを見出し、本発明を完成するに至った。
【００１０】
上記課題を解決する本発明は以下に記載するとおりである。なお、本願明細書において、基準義歯床とは、既製の義歯床及び該義歯床に人工歯が少なくとも１歯予め配列されている義歯床をいい、既製の義歯床に全歯列の人工歯が予め配列されている基準義歯床を基準義歯ともいう。また、単に、義歯作製キットとした場合には、上顎・下顎用の両方の義歯作製キットを指すものとする。
【００１１】
［１］少なくとも１歯以上の人工歯が予め配列されていてもよい上顎基準義歯床であって、
床後縁の左側翼突上顎切痕に相当する点を点Ｐとし、右側翼突上顎切痕に相当する点を点Ｑとし、唇側床縁の正中にあたる上唇小帯に相当する点を点Ｏとし、線分ＰＱの中点を点Ｍとし、点Ｏと点Ｐとを結ぶ線分ＯＰを４等分する各点を、点Ｏ側から点Ｐ１、点Ｐ２、点Ｐ３とし、線分ＯＰ上の点Ｐ１、点Ｐ２及び点Ｐ３からの垂直線が左側頬側床縁と交わる点をそれぞれ点Ｄ１、点Ｄ２及び点Ｄ３とし、点Ｏと点Ｑとを結ぶ線分ＯＱを４等分する各点を、点Ｏ側から点Ｑ１、点Ｑ２、点Ｑ３とし、線分ＯＱ上の点Ｑ１、点Ｑ２及び点Ｑ３からの垂直線が右側頬側床縁と交わる点をそれぞれ点Ｅ１、点Ｅ２及び点Ｅ３とし、線分ＰＱの長さを１とした場合、
線分ＯＭの長さが０．７６〜０．９８であり、
線分Ｐ１Ｄ１及び線分Ｑ１Ｅ１の長さがそれぞれ０．１１〜０．３６であり、
線分Ｐ２Ｄ２及び線分Ｑ２Ｅ２の長さがそれぞれ０．１９〜０．４５であり、
線分Ｐ３Ｄ３及び線分Ｑ３Ｅ３の長さがそれぞれ０．１６〜０．４５である
上顎基準義歯床と、
硬質裏装材と、
からなる上顎義歯作製キット。
【００１５】
［２］少なくとも１歯以上の人工歯が予め配列されていてもよい下顎基準義歯床であって、
床後縁の左側臼後隆起に相当する点を点ｐとし、右側臼後隆起に相当する点を点ｑとし、唇側床縁の正中にあたる下唇小帯に相当する点を点ｏとし、線分ｐｑの中点を点ｍとし、点ｏと点ｐとを結ぶ線分ｏｐを４等分する各点を、点ｏ側から点ｐ１、点ｐ２、点ｐ３とし、線分ｏｐ上の点ｐ１、点ｐ２及び点ｐ３からの垂直線が左側頬側床縁と交わる点をそれぞれ点ｄ１、点ｄ２及び点ｄ３とし、点ｏと点ｑとを結ぶ線分ｏｑを４等分する各点を、点ｏ側から点ｑ１、点ｑ２、点ｑ３とし、線分ｏｑ上の点ｑ１、点ｑ２及び点ｑ３からの垂直線が右側頬側床縁と交わる点をそれぞれ点ｅ１、点ｅ２及び点ｅ３とし、前記点ｐ１、点ｐ２及び点ｐ３からの垂直線が舌側床縁と交わる点をそれぞれ点ｂ１、点ｂ２及び点ｂ３とし、前記点ｑ１、点ｑ２及び点ｑ３からの垂直線が舌側床縁と交わる点をそれぞれ点ｃ１、点ｃ２、及び点ｃ３とし、線分ｐｑの長さを１とした場合、
線分ｏｍの長さが０．７４〜０．９４であり、
線分ｐ１ｄ１及び線分ｑ１ｅ１の長さがそれぞれ０．１１〜０．３２であり、
線分ｐ２ｄ２及び線分ｑ２ｅ２の長さがそれぞれ０．１３〜０．３４であり、
線分ｐ３ｄ３及び線分ｑ３ｅ３の長さがそれぞれ０．１４〜０．３３であり、
線分ｄ１ｂ１の長さは、０．１４〜０．４０で、且つ線分ｐ１ｄ１の長さより長く、
線分ｅ１ｃ１の長さは、０．１４〜０．４０で、且つ線分ｑ１ｅ１の長さより長く、
線分ｄ２ｂ２の長さは、０．１９〜０．４１で、且つ線分ｐ２ｄ２の長さより長く、
線分ｅ２ｃ２の長さは、０．１９〜０．４１で、且つ線分ｑ２ｅ２の長さより長く、
線分ｄ３ｂ３の長さは、０．２１〜０．４２で、且つ線分ｐ３ｄ３の長さより長く、
線分ｅ３ｃ３の長さは、０．２１〜０．４２で、且つ線分ｑ３ｅ３の長さより長い、
下顎基準義歯床と、
硬質裏装材と、
からなる下顎義歯作製キット。
【００２０】
［３］［１］で用いた前記上顎基準義歯床、［２］で用いた前記下顎基準義歯床、及び硬質裏装材からなる義歯作製キット。
【００２１】
［４］［１］で用いた前記上顎基準義歯床であってサイズが異なる複数の上顎基準義歯床及び／又は、［２］で用いた前記下顎基準義歯床であってサイズが異なる複数の下顎基準義歯床と、
硬質裏装材と、からなる義歯作製キット。
【００２２】
［５］［４］に記載の義歯作製キットから、患者の口のサイズに適合する上顎基準義歯床及び／又は下顎基準義歯床を選択する工程と、
前記選択工程で選択した上顎基準義歯床及び／又は下顎基準義歯床に硬質裏装材を築盛する工程と、
を有することを特徴とする義歯作製方法。
【発明の効果】
【００２４】
本発明で使用する基準義歯床は、所定形状を有しているため、裏装材を築盛するだけで容易に患者の口腔形状に適合させることができる。即ち、従来の義歯作製の工程において、既製化された義歯床を用いることによって、義歯の作製時間を短縮することができる。また、本発明で使用する基準義歯は、所定形状の基準義歯床に全歯列の人工歯が予め配列されているため、裏装材を築盛するだけで容易に義歯を作製することができる。即ち、従来の義歯作製の工程において、既製化された義歯床を用いるとともに、全歯列を予め配列しておくことにより、義歯の作製時間を大幅に短縮することができる。そして、このような基準義歯床又は基準義歯と硬質裏装材とからなる本発明の義歯作製キットは、前記基準義歯床又は前記基準義歯、及び硬質裏装材を使用して義歯を形成するため、作業時間を大幅に短縮できる。また、本発明の義歯作製キットは、硬質裏装材を患者の口腔内適用時に使用するため、該口腔内の形状に適合させ易く、さらに、義歯の厚みを厚くすることができ、義歯自体の強度を高めることができる。加えて、前記基準義歯床又は前記基準義歯と硬質裏装材とを高い強度で密着させることができるため、患者の口腔内での長期使用を可能にすることができる。これにより、歯科医師、歯科技工士及び患者の負担を大幅に低減することができる。
【００２５】
本発明で使用する基準義歯床（基準義歯）は、従来のように、個別の患者の口腔形状の印象を採取し、作製されるものではなく、有歯顎者の口腔形状を統計的に定めてデンチャースペース理論に基づいて作製されているため、数種類の基準義歯床（基準義歯）を用意しておけば、ほぼ全ての患者に対して適合率の高い義歯を作製できる。また、歯槽頂の吸収が激しい難症例の患者にも適合できる。そして、前記基準義歯床（基準義歯）と硬質裏装材とからなる義歯作製キットを使用することにより、適合率が高く、難症例の患者にも、長期間使用できる義歯とすることができる。
【図面の簡単な説明】
【００２６】
【図１】図１は、本発明の義歯作製キットを患者に装着した状態を示す説明図である。
【図２】図２は、本発明で使用する上顎基準義歯床の形状を示す平面図である。
【図３】図３は、本発明で使用する上顎基準義歯床に配列される人工歯の位置を示す平面図である。
【図４】図４は、本発明で使用する上顎基準義歯の一例を示す平面図である。
【図５】図５は、本発明で使用する下顎基準義歯床の形状を示す平面図である。
【図６】図６は、本発明で使用する下顎基準義歯床に配列される人工歯の位置を示す平面図である。
【図７】図７は、本発明で使用する下顎基準義歯の一例を示す平面図である。
【発明を実施するための形態】
【００２７】
以下、図面を参照しながら本発明を詳細に説明する。
【００２８】
（基準義歯床（基準義歯））
図１は、本発明で使用する基準義歯床を患者に装着した状態を示す説明図である。図１中、１００は上顎基準義歯床で、２００は下顎基準義歯床である（以下、これらを単に「基準義歯床」ともいう。）。１０１は人工歯であり、基準義歯床に全ての歯列が配列されると、これらの人工歯と基準義歯床とからなる基準義歯が完成される。
【００２９】
図１中、点Ｏは、唇側床縁の正中にあたる上唇小帯に相当する点であり、点Ｐは、床後縁の左側翼突上顎切痕に相当する点である。上顎基準義歯床１００の左側頬側床縁５０は、点D１〜D３を有している（後述）。点ｏは、唇側床縁の正中にあたる下唇小帯に相当する点である。点ｐは、床後縁の左側臼後隆起に相当する点である。下顎基準義歯床２００の左側頬側床縁５２は、点ｄ１〜ｄ３を有している（後述）。本発明で使用する基準義歯床は、これらの点の相対的な位置関係が所定範囲にあることを特徴としている。
【００３０】
（上顎基準義歯床）
図２は、本発明で使用する上顎基準義歯床１００の一例を示す平面図である。図２中、点Ｏは、唇側床縁の正中にあたる上唇小帯に相当する点である。点Ｐは、床後縁の左側翼突上顎切痕に相当する点であり、点Ｑは、床後縁の右側翼突上顎切痕に相当する点である。点Ｍは、点Ｐと点Ｑとを結ぶ線分ＰＱの中点である。本発明で使用する基準義歯床は、線分ＰＱの長さを、０．８１〜０．９３の範囲にあることが好ましく、０．８６〜０．８８の範囲にあることがより好ましい。この形状を有する上顎基準義歯床は、裏装材を築盛することによって、多くの無歯顎者に適合させることができる。そして、硬質裏装材を築盛することによって、密着性を高めることができ、使用時の耐久性を向上することができる。
【００３１】
図２中、点Ｐ１〜Ｐ３は、線分ＯＰを４等分する点である。即ち、線分ＯＰ１、線分Ｐ１Ｐ２、線分Ｐ２Ｐ３，線分Ｐ３Ｐの長さは等しい。点Ｄ１〜Ｄ３は、点Ｐ１〜Ｐ３の各点それぞれからの線分ＯＰに対する垂直線が左側頬側床縁５０と交わる点である。点Ｑ１〜Ｑ３は、線分ＯＱを４等分する点である。即ち、線分ＯＱ１、線分Ｑ１Ｑ２，線分Ｑ２Ｑ３、線分Ｑ３Ｑの長さは等しい。点Ｅ１〜Ｅ３は、点Ｑ１〜Ｑ３の各点それぞれからの線分ＯＱに対する垂直線が右側頬側床縁５１と交わる点である。
【００３２】
本発明で使用する上顎基準義歯床は、線分ＰＱの長さを１としたとき、線分Ｐ１Ｄ１及び線分Ｑ１Ｅ１の長さは、それぞれ０．１１〜０．３６の範囲であることが好ましく、０．１６〜０．３１の範囲であることがより好ましく、０．２１〜０．２６の範囲であることが特に好ましい。また、線分Ｐ２Ｄ２及び線分Ｑ２Ｅ２の長さは、それぞれ０．１９〜０．４５の範囲であることが好ましく、０．２４〜０．４０の範囲であることがより好ましく、０．２９〜０．３５の範囲であることが特に好ましい。さらに、線分Ｐ３Ｄ３及び線分Ｑ３Ｅ３の長さは、それぞれ０．１６〜０．４５の範囲であることが好ましく、０．２１〜０．４０の範囲であることがより好ましく、０．２６〜０．３５の範囲であることが特に好ましい。この形状を有する上顎基準義歯床は、さらに高い適合率で無歯顎者に適合させることができる。
【００３３】
本発明で使用する上顎基準義歯床には、人工歯が少なくとも１歯以上予め配列されていることが好ましい。予め人工歯が配列されている場合、該人工歯を基準として、Ｔｈｏｍｐｓｏｎの分類基準による方形、帯円方形、帯円形、帯円Ｖ字形の何れかの歯列弓を形成するように他の歯列を配列することにより、人工歯の配列時間を短縮できる。本発明で使用する上顎基準義歯床は、人工歯を配列するための凹部を有していても良い。
【００３４】
図３は、本発明で使用する上顎基準義歯床に配列される人工歯の位置を示す説明図である。図３では、上顎基準義歯床に少なくとも上顎第一大臼歯、上顎中切歯、上顎犬歯が予め配列されているものの例示である。点Ｓ６は、線分ＰＱの長さを１とし、線分ＯＰ上にあり、点Ｏから０．７４の距離にある。点Ｔ６は、線分ＰＱの長さを１とし、線分ＯＱ上にあり、点Ｏから０．７４の距離にある。左側上顎第一大臼歯は、点Ｓ６から左側頬側床縁５０側への線分ＯＰに対する垂直線上であって点Ｓ６から左側頬側床縁５０側に０．１１の距離に中心点を有する半径０．１４の円内に、その中心窩を有するように配列されていることが好ましく、半径０．０８の円内であることが特に好ましい。同様に、右側上顎第一大臼歯は、点Ｔ６から右側頬側床縁５１側への線分ＯＱに対する垂直線上であって点Ｔ６から右側頬側床縁５１側に０．１１の距離に中心点を有する半径０．１４の円内に、その中心窩を有するように配列されていることが好ましく、半径０．０８の円内であることが特に好ましい。
【００３５】
また、左右上顎中切歯は、線分ＰＱの長さを１とし、直線ＯＭ上において点Ｍから唇側に０．７６〜１．１４の距離に、左側上顎中切歯と右側上顎中切歯との歯間部を有するように隣接して配列されていることが好ましく、０．８６〜１．０４の距離であることがより好ましく、０．９１〜０．９９の距離であることが特に好ましい。
【００３６】
点Ｓ３は、線分ＰＱの長さを１とし、線分ＯＰ上にあり、点Ｏから０．３０の距離にある。点Ｔ３は、線分ＰＱの長さを１とし、線分ＯＱ上にあり、点Ｏから０．３０の距離にある。左側上顎犬歯は、点Ｓ３から左側頬側床縁５０側への線分ＯＰに対する垂直線上であって点Ｓ３から左側頬側床縁５０側に０．２５の距離に中心点を有する半径０．１２の円内に、その尖頭を有するように配列されていることが好ましく、半径０．０７の円内であることが特に好ましい。同様に、右側上顎犬歯は、点Ｔ３から右側頬側床縁５１側への線分ＯＱに対する垂直線上であって点Ｔ３から右側頬側床縁５１側に０．２５の距離に中心点を有する半径０．１２の円内に、その尖頭を有するように配列されていることが好ましく、半径０．０７の円内であることが特に好ましい。
【００３７】
（上顎基準義歯）
本発明で使用する上顎基準義歯は、前記上顎基準義歯床に全歯列の人工歯が予め配列されてなる。図４は、本発明で使用する上顎基準義歯床に全ての人工歯が配列されてなる上顎基準義歯の一例を示す平面図である。図４中、１１は上顎中切歯であり、１１ａは左側上顎中切歯と右側上顎中切歯との歯間部である。１２は上顎側切歯、１３の上顎犬歯、１４は上顎第一小臼歯、１５は上顎第二小臼歯、１６は上顎第一大臼歯、１７は上顎第二大臼歯である。１６ａは上顎第一大臼歯の中心窩である。
【００３８】
これらの人工歯が配列される位置は特に制限されないが、前記説明した位置に配列されていることが好ましい。また、これらの歯列弓は、Ｔｈｏｍｐｓｏｎの分類基準による方形、帯円方形、帯円形、帯円Ｖ字形の何れかによって形成されていることが好ましい。
【００３９】
以上、本発明で使用する上顎基準義歯（床）について説明したが、上記で例示していない人工歯の位置（例えば、上顎第一大臼歯、上顎中切歯、上顎犬歯以外の人工歯の位置）、人工歯の高さ等は、適宜決定してやればよい。また、前記上顎基準義歯（床）は、口蓋を被覆する部分の大きさを適宜調整することもできる。
【００４０】
（下顎基準義歯床）
図５は、本発明で使用する下顎基準義歯床２００の一例を示す平面図である。図５中、点ｏは、唇側床縁の正中にあたる下唇小帯に相当する点である。点ｐは、床後縁の左側臼後隆起に相当する点であり、点ｑは、床後縁の右側臼後隆起に相当する点である。点ｍは、点ｐと点ｑとを結ぶ線分ｐｑの中点である。本発明で使用する下顎基準義歯床は、線分ｐｑの長さを１としたとき、点ｏと点ｍとを結ぶ線分ｏｍの長さが０．７６〜０．９４の範囲にあり、０．８０〜０．９０の範囲にあることが好ましく、０．８４〜０．８６の範囲にあることがより好ましい。この形状を有する下顎基準義歯床は、裏装材を築盛することによって、多くの無歯顎者に適合させることができる。そして、硬質裏装材を築盛することによって、密着性を高めることができ、使用時の耐久性を向上することができる。
【００４１】
図５中、点ｐ１〜ｐ３は、線分ｏｐを４等分する点である。即ち、線分ｏｐ１、線分ｐ１ｐ２、線分ｐ２ｐ３、線分ｐ３ｐの長さは等しい。点ｄｌ〜ｄ３は、点ｐｌ〜ｐ３の各点それぞれからの線分ｏｐに対する垂直線が左側頬側床縁５２と交わる点である。点ｑ１〜ｑ３は、線分ｏｑを４等分する点である。即ち、線分ｏｑ１、線分ｑ１ｑ２、線分ｑ２ｑ３、線分ｑ３ｑの長さは等しい。点ｅｌ〜ｅ３は、点ｑｌ〜ｑ３の各点それぞれからの線分ｏｑに対する垂直線が右側頬側床縁５３と交わる点である。
【００４２】
本発明で使用する下顎基準義歯床は、線分ｐｑの長さを１としたとき、線分ｐ１ｄ１及び線分ｐ１ｅ１の長さは、それぞれ０．１１〜０．３２の範囲であることが好ましく、０．１５〜０．２８の範囲であることがより好ましく、０．１９〜０．２４の範囲であることが特に好ましい。また、線分ｐ２ｄ２及び線分ｑ２ｅ２の長さは、それぞれ０．１３〜０．３４の範囲であることが好ましく、０．１７〜０．３０の範囲であることがより好ましく、０．２１〜０．２６の範囲であることが特に好ましい。さらに線分ｐ３ｄ３及び線分ｑ３ｅ３の長さは、それぞれ０．１４〜０．３３の範囲であることが好ましく、０．１８〜０．２９の範囲であることがより好ましく、０．２２〜０．２５の範囲であることが特に好ましい。この形状を有する下顎基準義歯床は、より高い適合率で無歯顎者に適合させることができる。
【００４３】
図５中、点ｂ１〜ｂ３は、点ｐ１〜ｐ３の各点それぞれからの線分ｏｐに対する垂直線が舌側床縁と交わる点である。点ｃ１〜ｃ３は、点ｑ１〜ｑ３の各点それぞれからの線分ｏｑに対する垂直線が舌側床縁と交わる点である。
【００４４】
本発明で使用する下顎基準義歯床は、線分ｐｑの長さを１としたとき、線分ｄ１ｂ１及び線分ｅ１ｃ１の長さは、それぞれ０．１４〜０．４０の範囲であることが好ましく、０．１９〜０．３５の範囲であることがより好ましく、０．２４〜０．３０の範囲であることが特に好ましい。また、線分ｄ２ｂ２及び線分ｅ２ｃ２の長さは、それぞれ０．１９〜０．４１の範囲であることが好ましく、０．２４〜０．３６の範囲であることがより好ましく、０．２９〜０．３１の範囲であることが特に好ましい。さらに、線分ｄ３ｂ３及び線分ｅ３ｃ３の長さは、それぞれ０．２１〜０．４２の範囲であることが好ましく、０．２５〜０．３８の範囲であることがより好ましく、０．３０〜０．３４の範囲であることが特に好ましい。この形状を有する下顎基準義歯床は、さらに高い適合率で無歯顎者に適合させることができる。
【００４５】
本発明で使用する下顎基準義歯床には、人工歯が少なくとも１歯以上予め配列されていることが好ましい。予め人工歯が配列されている場合、該人工歯を基準として、Ｔｈｏｍｐｓｏｎの分類基準による方形、帯円方形、帯円形、帯円Ｖ字形の何れかの歯列弓を形成するように他の歯列を配列することにより、人工歯の配列時間を短縮できる。
【００４６】
図６は、本発明で使用する下顎基準義歯床に配列される人工歯の位置を示す説明図である。図６では、下顎基準義歯床に少なくとも下顎第一大臼歯、下顎中切歯、下顎犬歯が予め配列されたものの例示である。点ｓ６は、線分ｐｑの長さを１とし、線分ｏｐ上にあり、点ｏから０．６５の距離にある。点ｔ６は、線分ｐｑの長さを１とし、線分ｏｑ上にあり、点ｏから０．６５の距離にある。左側下顎第一大臼歯は、点ｓ６から左側頬側床縁５２側への線分ｏｐに対する垂直線上であって点ｓ６から左側頬側床縁５２側に０．０８の距離に中心点を有する半径０．１２の円内に、その中心窩を有するように配列されていることが好ましく、半径０．０８の円内であることが特に好ましい。同様に、右側下顎第一大臼歯は、点ｔ６から右側頬側床縁５３側への線分ｏｑに対する垂直線上であって点ｔ６から右側頬側床縁５３側に０．０８の距離に中心点を有する半径０．１２の円内に、その中心窩を有するように配列されていることが好ましく、半径０．０８の円内であることが特に好ましい。
【００４７】
また、左右下顎中切歯は、線分ｐｑの長さを１とし、直線ｏｍ上において点ｍから唇側に０．７４〜０．９４の距離に、左側下顎中切歯と右側下顎中切歯との歯間部を有するように隣接して配列されていることが好ましく、０．７９〜０．８９の距離であることがより好ましく、０．８３〜０．８５の距離であることが特に好ましい。
【００４８】
点ｓ３は、線分ｐｑの長さを１とし、線分ｏｐ上にあり、点ｏから０．２３の距離にある。点ｔ３は、線分ｐｑの長さを１とし、線分ｏｑ上にあり、点ｏから０．２３の距離にある。左側下顎犬歯は、点ｓ３から左側頬側床縁５２側への線分ｏｐに対する垂直線上であって点ｓ３から左側頬側床縁５２側に０．１７の距離に中心点を有する半径０．１１の円内に、尖頭を有するように配列されていることが好ましく、半径０．０８の円内であることが特に好ましい。同様に、右側下顎犬歯は、点ｔ３から右側頬側床縁５３側への線分ｏｑに対する垂直線上であって点ｔ３から右側頬側床縁５３側に０．１７の距離に中心点を有する半径０．１１の円内に、その尖頭を有するように配列されていることが好ましく、半径０．０８の円内であることが特に好ましい。
【００４９】
（下顎基準義歯）
本発明で使用する下顎基準義歯は、前記下顎基準義歯床に全歯列の人工歯が予め配列されてなる。図７は、本発明で使用する下顎基準義歯床に全ての人工歯が配列されてなる下顎基準義歯の一例を示す平面図である。図７中、２１は下顎中切歯であり、２１ａは左側下顎中切歯と右側下顎中切歯との歯間部である。２２は下顎側切歯、２３の下顎犬歯、２４は下顎第一小臼歯、２５は下顎第二小臼歯、２６は下顎第一大臼歯、２７は下顎第二大臼歯である。２６ａは下顎第一大臼歯の中心窩である。
【００５０】
これらの人工歯が配列される位置は特に制限されないが、前記説明した位置に配列されていることが好ましい。また、これらの歯列弓は、Ｔｈｏｍｐｓｏｎの分類基準による方形、帯円方形、帯円形、帯円Ｖ字形の何れかによって形成されていることが好ましい。
【００５１】
以上、本発明で使用する下顎基準義歯（床）について説明したが、上記で例示していない人工歯の位置（例えば、下顎第一大臼歯、下顎中切歯、下顎犬歯以外の人工歯の位置）、人工歯の高さ等は、適宜決定してやればよい。
【００５２】
（硬質裏装材）
本発明は、前記基準義歯（床）と硬質裏装材とからなる義歯作製キットである。本発明において、硬質裏装材とは、ＪＩＳＴ６５２１（義歯床用硬質裏装材）にてヌープ硬さ７Ｈｋ以上のものを指す。該条件を満たしていれば、公知のものが何ら制限なく使用できる。中でも、ヌープ硬さ７Ｈｋ以上３０Ｈｋ以下の硬質裏装材を使用することが好ましい。
【００５３】
一般的には、（メタ）アクリレート基（メタアクリル基、又はアクリル基）等のラジカル重合性基を有する重合性単量体を主成分とする液体と、（メタ）アクリレート基等のラジカル重合性基を有する重合性単量体からなるポリマーを主成分とし、有機過酸化物等のラジカル重合開始剤を含む固体（粉）とから構成される。
【００５４】
（ラジカル重合性基を有する重合性単量体；ラジカル重合性単量体）
ラジカル重合性単量体は、公知のものが特に限定されずに使用できる。
例えば、ビニル基、置換基を有するビニル基（例えば、スチリル基、塩化ビニル基、酢酸ビニル基、（メタ）アクリレート基、（メタ）アクリルアミド基）等のラジカル重合性基を有するラジカル重合性単量体が挙げられる。その中でも、（メタ）アクリレート基を有するラジカル重合性単量体が好ましい。（メタ）アクリレート系重合性単量体としては、一般に歯科用修復材料で使用可能な公知の（メタ）アクリレート系重合性単量体が何ら制限なく使用できる。
【００５５】
具体的に（メタ）アクリレート系重合性単量体を例示すれば、ｎ−オクタデシル（メタ）アクリレート、ｎ−ドデシル（メタ）アクリレート、ｎ−トリデシル（メタ）アクリレート、ｎ−ヘキシル（メタ）アクリレート、シクロヘキシル（メタ）アクリレート、２−メタクリロキシエチルプロピオネート、メトキシエチレングリコール（メタ）アクリレート、エトキシエチレングリコール（メタ）アクリレート、エチレングリコールジ（メタ）アクリレート、ジエチレングリコールジ（メタ）アクリレート、トリエチレングリコールジ（メタ）アクリレート、テトラエチレングリコールジ（メタ）アクリレート、ペンタエチレングリコールジ（メタ）アクリレート、プロピレングリコールジ（メタ）アクリレート、ヘキサメチレングリコールジ（メタ）アクリレート、アセトアセトキシエチル（メタ）アクリレート、１，３−ブタンジオールジ（メタ）アクリレート、１，４−ブタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、１，１２−ステアリルジ（メタ）アクリレート、ネオペンチルグリコールジ（メタ）アクリレート、ダイマージオールジ（メタ）アクリレート、ビスフェノール−Ａジ（メタ）アクリレート、２，２−ビス〔（メタ）アクリロイルオキシポリエトキシフェニル〕プロパン、トリメチロールプロパントリ（メタ）アクリレート、トリメチロールエタントリ（メタ）アクリレート、テトラメチロールメタンテトラ（メタ）アクリレート、ウレタンジ（メタ）アクリレート、ヒドロキシエチル（メタ）アクリレートと２，２，４−トリメチルヘキシル−１，６−ジイソシアネートの反応生成物）等が挙げられる。
【００５６】
本発明で使用する硬質裏装材においては、ラジカル重合性基を有する前記重合性単量体を単独あるいは２種類以上組み合わせて用いることができる。
【００５７】
（ラジカル重合性基を有する重合性単量体（ラジカル重合性単量体）からなるポリマー）
ラジカル重合性単量体からなるポリマーは、前記ラジカル重合性単量体に膨潤や溶解するものが使用できる。そのため、前記ポリマーは、（メタ）アクリレート基を有する重合性単量体からなるポリマー（（メタ）アクリレート系ポリマー）を使用することが好ましい。（メタ）アクリレート系ポリマーを具体的に例示すると、ポリメチル（メタ）アクリレート、ポリエチル（メタ）アクリレート、メチル（メタ）アクリレート−エチル（メタ）アクリレート共重合体、メチル（メタ）アクリレート−ブチル（メタ）アクリレート共重合体、エチル（メタ）アクリレート−ブチル（メタ）アクリレート、架橋型ポリメチル（メタ）アクリレート、架橋型ポリエチル（メタ）アクリレート等が挙げられる。ただし、ラジカル重合性基を有する前記重合性単量体に膨潤や溶解するものであればよいため、エチレン−酢酸ビニル共重合体、スチレン−ブタジエン共重合体、アクリロニトリル−スチレン共重合体、アクリロニトリル−スチレン−ブタジエン共重合体等を使用することもできる。
【００５８】
本発明で使用する硬質裏装材においては、前記ポリマーを単独あるいは２種類以上組み合わせて用いることができる。
【００５９】
（ラジカル重合開始剤）
ラジカル重合開始剤としては、加熱又は光照射によりラジカルを発生させるものであれば何ら制限なく使用できる。さらに第３級アミン等との接触により室温条件下でラジカルを発生しうるものであってもよい。
【００６０】
加熱もしくは第３級アミンとの接触によりラジカルを発生させる物質として有機過酸化物が例示される。代表的な有機過酸化物を具体的に例示すると、ベンゾイルパーオキサイド、２，４−ジクロロベンゾイルパーオキサイド、ジラウロイルパーオキサイド等が挙げられる。
【００６１】
またこれら有機過酸化物と接触してラジカルを発生させるための第３級アミンとしては公知の化合物が特に制限されず使用される。好適に使用される第３ 級アミン化合物を具体的に例示すると、Ｎ，Ｎ−ジメチルアニリン、Ｎ，Ｎ−ジエチルアニリン、Ｎ，Ｎ−ジプロピルアニリン、Ｎ，Ｎ−ジブチルアニリン、Ｎ−メチル，Ｎ−β−ヒドロキシエチルアニリン等のアニリン類、Ｎ，Ｎ−ジメチル−ｐ−トルイジン、Ｎ，Ｎ−ジエチル−ｐ−トルイジン、Ｎ，Ｎ−ジプロピル−ｐ−トルイジン、Ｎ，Ｎ−ジブチル−ｐ−トルイジン、ｐ−トリルジエタノールアミン、ｐ−トリルジプロパノールアミン等のトルイジン類、Ｎ，Ｎ−ジメチル−アニシジン、Ｎ，Ｎ−ジエチル−ｐ−アニシジン、Ｎ，Ｎ−ジプロピル−ｐ−アニシジン、Ｎ，Ｎ−ジブチル−ｐ−アニシジン等のアニシジン類、Ｎ−フェニルモルフォリン、Ｎ−トリルモルフォリン等のモルフォリン類、ビス（ Ｎ，Ｎ−ジメチルアミノフェニル）メタン、ビス（Ｎ，Ｎ−ジメチルアミノフェニル）エーテル等が挙げられる。これらのアミン化合物は、塩酸、リン酸、酢酸、プロピオン酸等の有機酸などとの塩として使用してもよい。
【００６２】
また、光重合開始剤としてはα−ジケトン−還元剤、ケタール−還元剤、チオキサントン−還元剤などの公知の開始剤系が好ましく用いられる。α−ジケトンとしてはカンファーキノン、ベンジル、２，３−ペンタジオン、３，４−ヘプタジオンなどを挙げることができる。ケタールとしてはベンジルジメチルケタール、ベンジルジエチルケタール、ベンジル（２−メトキシエチルケタール）などを挙げることができる。チオキサントンとしてはチオキサントン、２，４−ジメチルチオキサントン、２，４−ジエチルチオキサントン、２−クロロチオキサントンなどを挙げることができる。光重合開始剤の一成分としての還元剤は、２−（ジメチルアミノ）エチルメタクリレート、４−ジメチルアミノ安息香酸エチル、Ｎ−メチルジエタノールアミンなどの第３級アミン類、ラウリルアルデヒド、ジメチルアミノベンズアルデヒド、テレフタルアルデヒドなどのアルデヒド類、２−メルカプトベンゾオキサゾール、１−デカンチオール、チオサルチル酸、チオ安息香酸などを挙げることができる。
【００６３】
（その他の成分）
また、本発明で使用する硬質裏装材は、強度向上のためにフィラーを含有しても良い。該フィラーは、有機フィラーであっても無機フィラーであっても良い。
【００６４】
本発明で用いられる有機フィラーとしては例えばポリ（メタ）アクリレート、ポリカーボネート、ポリエステルのごとき一般的に入手可能な樹脂重合体が制限なく用いられる。
【００６５】
また、本発明で用いられる無機フィラーの種類は特に制限されるものではなく、一般的な樹脂組成物に添加されている補強材、充填材の中から選択することが可能である。具体的に例示すると、炭酸カルシウム、硫酸カルシウム、酸化マグネシウム、炭酸バリウム、硫酸バリウム、酸化チタン、チタン酸カリウム、チタン酸バリウム、水酸化アルミニウム、水酸化マグネシウム、硅石粉末、ガラス粉末、珪藻土、シリカ、珪酸カルシウム、タルク、アルミナ、ベントナイト、ゼオライト、カオリンクレー、マイカ、石英ガラスなどが挙げられる。
【００６６】
（硬質裏装材のその他特性）
本発明における硬質裏装材は、その形態に特に制限はなく、粉液型、ペースト／ペースト型、シングルペースト型などいずれでも構わない。通常の硬質裏装材は粉液型が主流であり、前記ポリマー、前記ラジカル重合開始剤、及び必要に応じて配合される有機又は無機フィラーを主成分とする粉成分と、前記ラジカル重合性単量体を主成分とする液成分とで構成される。これらは使用時に所定量の粉成分と液成分とを混合・練和して用いられる。
【００６７】
硬質裏装材は、ヌープ硬さ７Ｈｋ以上となるものであれば特に制限されるものではないが、液成分である前記ラジカル重合性単量体１００質量部に対して、前記ラジカル重合性単量体からなるポリマーを５０〜３５０質量部、前記ラジカル重合開始剤０．１〜２０質量部、有機また無機フィラー０〜２０質量部含むことが好ましい。
【００６８】
（義歯作製キット）
本発明の義歯作製キットは、前記上顎基準義歯床もしくは上顎基準義歯、及び／又は前記下顎基準義歯床もしくは下顎基準義歯、並びに硬質裏装材からなる（前記上顎基準義歯床もしくは上顎基準義歯、及び硬質裏装材の組み合わせ、前記下顎基準義歯床もしくは下顎基準義歯、及び硬質裏装材の組み合わせ、前記上顎基準義歯床もしくは上顎基準義歯、及び前記下顎基準義歯床もしくは下顎基準義歯、並びに硬質裏装材の組み合わせから選ばれる。）。基準義歯床を用いる場合、患者の口腔形状に適合するように硬質裏装材を築盛し、且つ人工歯を配列することにより、義歯が作製される。基準義歯を用いる場合、患者の口腔形状に適合するように硬質裏装材を築盛することにより、義歯が作製される。
【００６９】
本発明の義歯作製キットは、それぞれサイズが異なる複数の上顎基準義歯床又は上顎基準義歯と下顎基準義歯床又は下顎基準義歯とを予め用意しておくことが好ましい。これにより、より患者への適合率を高めることができる。なお、上顎基準義歯床又は上顎基準義歯、及び下顎基準義歯床又は下顎基準義歯のサイズは、それぞれ２〜１０種類用意しておくことが好ましく、２〜５種類用意しておくことがより好ましく、３種類用意しておくことが特に好ましい。
【００７０】
（義歯を作製する方法、基準義歯の材質、人工歯の材質）
本発明の義歯作製キットを用いて義歯を作製する方法を以下に説明する。
【００７１】
先ず、患者の口腔サイズに適合する上顎基準義歯床もしくは上顎基準義歯、及び／又は下顎基準義歯床もしくは下顎基準義歯を選択する。このような基準義歯床の選択は、口腔サイズの計測を基に決定できる。口腔サイズを計測する方法は、公知の方法を用いることができるが、例えば、目視・触診による計測、印象用トレーの試適によるサイズの計測等が挙げられる。基準義歯床が選択された場合には、これらの選択された上顎基準義歯床及び下顎基準義歯床にそれぞれ人工歯が配列されて上顎基準義歯及び下顎基準義歯が作製される。さらに、上顎基準義歯及び下顎基準義歯には、それぞれ硬質裏装材を築盛されて患者の口腔形状に完全に適合される。人工歯の配列と硬質裏装材の築盛とはどちらを先に行っても良い。次いで、患者の口腔に試適された後、咬合が調整される。これにより、患者の口腔形状に適合した義歯が作製される。
【００７２】
本発明において、基準義歯床の材料は公知のものがなんら制限なく使用できる。具体的に例示すれば、メチル（メタ）アクリレート、エチル（メタ）アクリレート、イソプロピル（メタ）アクリレート、ｎ−プロピル（メタ）アクリレート、ブチル（メタ）アクリレートの単独重合体もしくはこれらの共重合体から少なくとも一つ選ばれるポリ（メタ）アクリレート系樹脂、並びにポリオレフィン系樹脂（例えば、ポリプロピレン）、ポリアミド系樹脂（例えば、ナイロン６６（登録商標））、ポリエステル系樹脂（例えば、ポリカーボネート）、ポリエーテル系樹脂（例えば、ポリアセタール、ポリサルフォン）、ポリニトリル系樹脂（例えば、ポリアクリロニトリル）、ポリビニル系樹脂（例えば、ポリ酢酸ビニル）、セルロース系樹脂（例えば、酢酸セルロース）、フッ素系樹脂（例えば、ポリクロルフルオロエチレン）、イミド系樹脂（例えば、芳香族ポリイミド）等が挙げられる。
【００７３】
本発明で使用する基準義歯床には、義歯床の強度を向上させるためにフィラーを含有させることもできる。該フィラーは、有機フィラーであっても無機フィラーであっても良い。また、無機フィラーに重合性単量体を予め添加し、ペースト状にした後、重合させ、粉砕して得られる粒状の有機−無機複合フィラーを用いても良い。
【００７４】
本発明で使用する基準義歯床は、その一部が金属で形成されていても良い。
【００７５】
本発明で使用する基準義歯床は、公知の方法によって成形される。例えば、射出成形や圧縮成形等が挙げられる。
【００７６】
本発明において人工歯としては、樹脂製やセラミック製の公知の人工歯を用いることができる。樹脂製の人工歯としては、上述のポリ（メタ）アクリレート系樹脂、並びにポリオレフィン系樹脂、ポリアミド系樹脂、ポリエステル系樹脂、ポリエーテル系樹脂、ポリニトリル系樹脂、ポリビニル系樹脂、セルロース系樹脂、フッ素系樹脂、イミド系樹脂、シリコン系樹脂等を材質とする人工歯が例示される。人工歯の固定方法としては、嵌合、接着等従来公知の方法で何等制限なく使用できる。
【実施例】
【００７７】
（適合率）
本実施例において適合率は、基準義歯床又は基準義歯を裏装後、形状の異なる２０種類の無歯顎全顎模型に試適した際の適合する模型数の割合で評価した。なお、使用した硬質裏装材の量は２．７ｇ〜６．８ｇの範囲であり、各無歯顎全顎模型の形状に合わせた量を使用した。ただし、実施例、比較例の比較ができるように、同じ無歯顎全顎模型を使用した場合には、同じ量の硬質裏装材を使用した。
【００７８】
（配列時間）
本実施例において配列時間は、参考例におけるオーダーメイドの義歯（従来法）を作製する場合に全歯列の人工歯を配列するのに要する時間を１００％とし、各実施例の基準義歯床に人工歯を配列するのに要した時間の割合で評価した。
【００７９】
（咬合調整時間）
本実施例において咬合調整時間は、オーダーメイドの義歯（従来法）を作製する場合に咬合を調整するのに要する時間を１００％とし、各実施例の基準義歯床に咬合を調整するのに要した時間の割合で評価した。
【００８０】
（耐久性）
耐久性は、各実施例・比較例で裏装した義歯を、繰返荷重負荷試験機（エレクトロパレス、インストロン社製）を用いて、荷重負荷（最大負荷圧：１３．６ｋｇ、最小負荷圧：０ｋｇ、周波数：１．２Ｈｚ、温度：３７℃（水中））をかけ、所定回数（３０００００回・３５００００回・９５００００回）における該義歯のひび、ちぎれ、はがれ等の破損が生じたものを×とし、生じなかったものを○として評価した。この耐久性は、２０種類の無歯顎全顎模型を使用して適合した義歯の評価を行い、適合した義歯の１つ以上が破損したものを×とし、適合した義歯全てに破損しなかったものを○として評価した。
【００８１】
（硬質裏装材）
本実施例中で使用した硬質裏装材の略号は以下の通りである。
Ｒ１：アセトアセトキシエチル（メタ）アクリレート２５質量部、１，９−ノナンジオールジ（メタ）アクリレート２５質量部の液と、ポリエチル（メタ）アクリレート１００質量部、ベンゾイルパーオキサイド２質量部の粉とから成り、ヌープ硬さ１０．０Ｈｋの硬質裏装材。
Ｒ２：ヘキサメチレングリコールジ（メタ）アクリレート２５質量部、２−メタクリロイルオキシエチルプロピオネート２５質量部の液と、ポリエチル（メタ）アクリレート１００質量部とカンファーキノン２質量部の粉とから成り、ヌープ硬さ１１．０Ｈｋの硬質裏装材。
【００８２】
（実施例１−２１、比較例１−５）
表１に記載する形状の上顎基準義歯床を作製し、適合率、配列時間、咬合調整時間、耐久性を評価した。評価結果は表１に示した。なお、左側を代表値として示しているが、右側は左側と同じ値で作製した。
【００８３】
（実施例２２−４２、比較例６−１０）
表２に記載する形状の下顎基準義歯床を作製し、適合率、配列時間、咬合調整時間、耐久性を評価した。評価結果は表２に示した。なお、左側を代表値として示しているが、右側は左側と同じ値で作製した。
【００８４】
表中、６番とは第一大臼歯、１番とは中切歯、３番とは犬歯である。また、第一大臼歯（６番）又は犬歯（３番）の場合における「０」とは、人工歯の中心窩（第一大臼歯の場合）又は尖頭（犬歯の場合）が本願で規定する所定円内の中心となるように配列されていることを意味する。また、例えば第一大臼歯（６番）における「０．１４」とは、本願で規定する所定円内の中心から中心窩までの距離を意味する。その他の数値に関しても同様の意味である。また、例えば犬歯（３番）における「０．１２」とは、本願で規定する所定円内の中心から尖頭までの距離を意味する。その他の数値に関しても同様の意味である。上顎中切歯の場合、「０．９５」とは、直線ＯＭ上において点Ｍから唇側に０．９５の距離に左側上顎中切歯と右側上顎中切歯との歯間部を有するように配列されていることをいい、「１．１４」及び「０．７６」とは各々記載の値の距離に左側上顎中切歯と右側上顎中切歯との歯間部を有するように配列されていることをいう。下顎中切歯の場合、「０．８４」とは、直線ｏｍ上において点ｍから唇側に０．８４の距離に左側下顎中切歯と右側下顎中切歯との歯間部を有するように配列されていることをいい、「０．９４」及び「０．７４」とは各々記載の値の距離に左側下顎中切歯と右側下顎中切歯との歯間部を有するように配列されていることをいう。
【００８５】
【表１】
0006595260.tif 000002
【００８６】
【表２】
0006595260.tif 000003
【符号の説明】
【００８７】
１１・・・上顎中切歯
１１ａ・・・左右上顎中切歯の歯間部
１２・・・上顎側切歯
１３・・・上顎犬歯
１４・・・上顎第一小臼歯
１５・・・上顎第二小臼歯
１６・・・上顎第一大臼歯
１６ａ・・・上顎第一大臼歯の中心窩
１７・・・上顎第二大臼歯
２１・・・下顎中切歯
２１ａ・・・左右下顎中切歯の歯間部
２２・・・下顎側切歯
２３・・・下顎犬歯
２４・・・下顎第一小臼歯
２５・・・下顎第二小臼歯
２６・・・下顎第一大臼歯
２６ａ・・・下顎第一大臼歯の中心窩
２７・・・下顎第二大臼歯
５０、５３・・・右側頬側床縁
５１、５２・・・左側頬側床縁
１００・・・上顎基準義歯床
１０１・・・人工歯
２００・・・下顎基準義歯床
【図１】
0006595260.tif 000004
【図２】
0006595260.tif 000005
【図３】
0006595260.tif 000006
【図４】
0006595260.tif 000007
【図５】
0006595260.tif 000008
【図６】
0006595260.tif 000009
【図７】
0006595260.tif 000010